(57)【要約】【課題】外部装置との間で行われる通信データの記録を、通信を中断することなく、簡単な操作により指示することができる通信装置、通信プログラムおよび情報処理プログラムを提供すること。【解決手段】ＭＦＰ１は、ＰＣ５１の録音アプリケーションプログラムから送信される録音開始命令を受信した場合に、ＰＣ５１から送信されるデータ保存先情報を受信して、子機３１と外部装置との間で行われている通話を録音することができる。つまり、ユーザは、ＭＦＰ１や子機３１を操作しなくても、また、ＭＦＰ１を操作できない場所にいたとしても、録音開始命令を受信をすることにより、通話中の音声を音声データに変換し、音声ファイルとして音声データメモリ１３ａに記録開始することができるので、ユーザにとって使い勝手が良い。【選択図】図３
2009033368.tif 000002
【特許請求の範囲】
【請求項１】
外部装置と通信する通信機能を有した通信装置とネットワークを介して接続され、その通信装置とデータ通信するデータ通信手段を備えた情報処理装置のコンピュータに実行させる情報処理プログラムにおいて、
前記外部装置と前記通信装置との間でやりとりされる通信データの記録開始を指示する記録指示が入力されたかを検出する検出ステップと、
その検出ステップにより前記記録指示が入力されたと検出された場合に、前記外部装置と前記通信装置との間でやりとりされる通信データを所定の保存先に対して記録開始するように指示する記録開始指示情報を、前記データ通信手段によりネットワークを介して前記通信装置に対し出力する出力ステップとを備えていることを特徴とする情報処理プログラム。
【請求項２】
前記外部装置と前記通信装置とが通信されているかを検知する検知ステップを備え、
前記検出ステップは、前記検知ステップにより前記外部装置と前記通信装置とが通信されていると検知されたことを条件として、前記記録指示が入力されたかの検出を開始することを特徴とする請求項１記載の情報処理プログラム。
【請求項３】
前記検知ステップにより前記外部装置と前記通信装置とが通信されていると検知されたことを条件として、ユーザの操作に基づいて前記記録指示を入力するための入力画面を、文字や記号を表示可能に構成された表示手段に表示する表示制御ステップを備え、
前記検出ステップは、前記表示手段に表示される入力画面を介して前記記録指示が入力されたかを検出することを特徴とする請求項２記載の情報処理プログラム。
【請求項４】
前記外部装置と前記通信装置との間でやりとりされる通信データを記録させる前記保存先を、前記データ通信手段によりネットワークを介して前記通信装置に対し指示する保存先指示ステップを備えていることを特徴とする請求項１から３のいずれかに記載の情報処理プログラム。
【請求項５】
前記保存先指示ステップは、前記通信装置の内部に固定的に設けられている通信装置記憶部と、前記通信装置に着脱可能に設けられている記憶媒体と、前記情報処理装置に設けられている情報処理装置記憶部とのうち、少なくとも１つを前記保存先として、前記データ通信手段によりネットワークを介して前記通信装置に対し指示することを特徴とする請求項４記載の情報処理プログラム。
【請求項６】
前記表示制御ステップは、ユーザの操作に基づいて前記保存先を選択するための入力画面を前記表示手段に表示し、
前記記録先指示ステップは、前記表示手段に表示される入力画面を介して選択された保存先を、前記外部装置と前記通信装置との間でやりとりされる通信データの保存先として、前記データ通信手段によりネットワークを介して前記通信装置に対し指示することを特徴とする請求項４または５記載の情報処理プログラム。
【請求項７】
外部装置と通信する通信機能を有し、情報処理装置とネットワークを介してデータ通信するデータ通信手段を備えた通信装置において、
前記外部装置との間でやりとりされる通信データを所定の保存先に記録させる記録手段と、
前記外部装置との間で通信が行われている場合に、その旨を前記データ通信手段によりネットワークを介して前記情報処理装置に対し報知する報知手段と、
前記情報処理装置から出力される記録開始指示情報を、前記データ通信手段によりネットワークを介して受信する受信手段と、
前記外部装置との間で通信が行われている間に、前記受信手段により前記ネットワークを介して前記記録開始指示情報を受信した場合に、前記外部装置との間でやりとりされる通信データを前記記録手段により前記保存先に対して記録開始する記録制御手段とを備えていることを特徴とする通信装置。
【請求項８】
装置の内部に固定的に設けられている通信装置記憶部と、装置に着脱可能に設けられている記憶媒体とを備え、
前記記録手段は、前記情報処理装置から前記ネットワークを介して指示される保存先情報に基づいて、前記通信装置記憶部と、前記記憶媒体とのうち、少なくとも１つを前記保存先とし、前記外部装置との間でやりとりされる通信データを記憶することを特徴とする請求項７に記載の通信装置。
【請求項９】
前記情報処理装置から前記ネットワークを介して指示される保存先情報が示す保存先が、その情報処理装置側に存在する場合に、前記外部装置との間でやりとりされる通信データを、前記データ通信手段によりネットワークを介して前記情報処理装置へ転送する通信データ転送手段を備えていることを特徴とする請求項８記載の通信装置。
【請求項１０】
前記データ通信手段は、ファイル転送プロトコルに従ってネットワークを介して前記情報処理装置と通信する機能を有し、
前記記録手段は、前記記憶媒体もしくは前記通信装置記憶部に対して、前記外部装置との間でやりとりされる通信データをデータファイルとして記録するものであり、
前記記憶媒体もしくは前記通信装置記憶部に記録されている前記データファイルを、前記情報処理装置からの指示に基づいて、前記ファイル転送プロトコルに従い前記情報処理装置に対して送出するファイル送出手段を備えていることを特徴とする請求項７から９のいずれかに記載の通信装置。
【請求項１１】
外部装置と通信する通信機能を有し、情報処理装置とネットワークを介してデータ通信するデータ通信手段を備えた通信装置のコンピュータに実行させる通信プログラムにおいて、
前記外部装置との間でやりとりされる通信データを所定の保存先に記録させる記録ステップと、
前記外部装置との間で通信が行われている場合に、その旨を前記データ通信手段によりネットワークを介して前記情報処理装置に対し報知する報知ステップと、
前記情報処理装置から出力される記録開始指示情報を、前記データ通信手段によりネットワークを介して受信する受信ステップと、
前記外部装置との間で通信が行われている間に、前記受信手段により前記ネットワークを介して前記記録開始指示情報を受信した場合に、前記外部装置との間でやりとりされる通信データを前記記録手段により前記保存先に対して記録開始する記録制御ステップとを備えていることを特徴とする通信プログラム。
【発明の詳細な説明】
【技術分野】
【０００１】
本発明は、通信装置、通信プログラムおよび情報処理プログラムに関し、特に、外部装置との間で行われる通信データの記録を、通信を中断することなく、簡単な操作により指示することができる通信装置、通信プログラムおよび情報処理プログラムに関するものである。
【背景技術】
【０００２】
従来より、外部装置と通信装置とが通信回線を介して接続され、通信可能な状態である場合に、その外部装置と通信装置との間で行われている通信を記録する通信装置が知られている。例えば、特許文献１に記載されている通信装置では、親機と子機とにより構成されており、子機には、親機に対して通話の録音開始を指示する録音開始ボタンが子機と一体に設けられている。ユーザが子機を用いて外部装置との間で通話を行っている場合に、子機に設けられた録音開始ボタンが押下されると、親機に対して通話の録音開始が指示される。
【特許文献１】特開平９−１８５７５号公報（００１９段落など）
【発明の開示】
【発明が解決しようとする課題】
【０００３】
しかしながら、上述した通信装置（特許文献１）では、録音開始ボタンが子機と一体に設けられているため、ユーザが子機を用いて通話している場合は、その録音開始ボタンの位置を確認できず、通話の録音を指示するには、一旦、通話を中断して、子機を顔から離し録音開始ボタンの位置を確認して押下しなければならず、使い勝手が悪いという問題点があった。
【０００４】
本発明は、上述した問題点を解決するためになされたものであり、外部装置との間で行われる通信データの記録を、通信を中断することなく、簡単な操作により指示することができる通信装置、通信プログラムおよび情報処理プログラムを提供することを目的とする。
【課題を解決するための手段】
【０００５】
この目的を達成するために、請求項１記載の情報処理プログラムは、外部装置と通信する通信機能を有した通信装置とネットワークを介して接続され、その通信装置とデータ通信するデータ通信手段を備えた情報処理装置のコンピュータに実行させる情報処理プログラムであって、前記外部装置と前記通信装置との間でやりとりされる通信データの記録開始を指示する記録指示が入力されたかを検出する検出ステップと、その検出ステップにより前記記録指示が入力されたと検出された場合に、前記外部装置と前記通信装置との間でやりとりされる通信データを所定の保存先に対して記録開始するように指示する記録開始指示情報を、前記データ通信手段によりネットワークを介して前記通信装置に対し出力する出力ステップとを備えている。
【０００６】
請求項２記載の情報処理プログラムは、請求項１記載の情報処理プログラムにおいて、前記外部装置と前記通信装置とが通信されているかを検知する検知ステップを備え、前記検出ステップは、前記検知ステップにより前記外部装置と前記通信装置とが通信されていると検知されたことを条件として、前記記録指示が入力されたかの検出を開始する。
【０００７】
請求項３記載の情報処理プログラムは、請求項２記載の情報処理プログラムにおいて、前記検知ステップにより前記外部装置と前記通信装置とが通信されていると検知されたことを条件として、ユーザの操作に基づいて前記記録指示を入力するための入力画面を、文字や記号を表示可能に構成された表示手段に表示する表示制御ステップを備え、前記検出ステップは、前記表示手段に表示される入力画面を介して前記記録指示が入力されたかを検出する。
【０００８】
請求項４記載の情報処理プログラムは、請求項１から３のいずれかに記載の情報処理プログラムにおいて、前記外部装置と前記通信装置との間でやりとりされる通信データを記録させる前記保存先を、前記データ通信手段によりネットワークを介して前記通信装置に対し指示する記録先指示ステップを備えている。
【０００９】
請求項５記載の情報処理プログラムは、請求項４記載の情報処理プログラムにおいて、前記記録先指示ステップは、前記通信装置の内部に固定的に設けられている通信装置記憶部と、前記通信装置に着脱可能に設けられている記憶媒体と、前記情報処理装置に設けられている情報処理装置記憶部とのうち、少なくとも１つを前記保存先として、前記データ通信手段によりネットワークを介して前記通信装置に対し指示する。
【００１０】
請求項６記載の情報処理プログラムは、請求項４または５記載の情報処理プログラムにおいて、前記表示制御ステップは、ユーザの操作に基づいて前記保存先を選択するための入力画面を前記表示手段に表示し、前記記録先指示ステップは、前記表示手段に表示される入力画面を介して選択された保存先を、前記外部装置と前記通信装置との間でやりとりされる通信データの保存先として、前記データ通信手段によりネットワークを介して前記通信装置に対し指示する。
【００１１】
請求項７記載の通信装置は、外部装置と通信する通信機能を有し、情報処理装置とネットワークを介してデータ通信するデータ通信手段を備えた通信装置であって、前記外部装置との間でやりとりされる通信データを所定の保存先に記録させる記録手段と、前記外部装置との間で通信が行われている場合に、その旨を前記データ通信手段によりネットワークを介して前記情報処理装置に対し報知する報知手段と、前記情報処理装置から出力される記録開始指示情報を、前記データ通信手段によりネットワークを介して受信する受信手段と、前記外部装置との間で通信が行われている間に、前記受信手段により前記ネットワークを介して前記記録開始指示情報を受信した場合に、前記外部装置との間でやりとりされる通信データを前記記録手段により前記保存先に対して記録開始する記録制御手段とを備えている。
【００１２】
請求項８記載の通信装置は、請求項７に記載の通信装置において、装置の内部に固定的に設けられている通信装置記憶部と、装置に着脱可能に設けられている記憶媒体とを備え、前記記録手段は、前記情報処理装置から前記ネットワークを介して指示される保存先情報に基づいて、前記通信装置記憶部と、前記記憶媒体とのうち、少なくとも１つを前記保存先とし、前記外部装置との間でやりとりされる通信データを記憶する。
【００１３】
請求項９記載の通信装置は、請求項８記載の通信装置において、前記情報処理装置から前記ネットワークを介して指示される保存先情報が示す保存先が、その情報処理装置側に存在する場合に、前記外部装置との間でやりとりされる通信データを、前記データ通信手段によりネットワークを介して前記情報処理装置へ転送する通信データ転送手段を備えている。
【００１４】
請求項１０記載の通信装置は、請求項７から９のいずれかに記載の通信装置において、前記データ通信手段は、ファイル転送プロトコルに従ってネットワークを介して前記情報処理装置と通信する機能を有し、前記記録手段は、前記記憶媒体もしくは前記通信装置記憶部に対して、前記外部装置との間でやりとりされる通信データをデータファイルとして記録するものであり、前記記憶媒体もしくは前記通信装置記憶部に記録されている前記データファイルを、前記情報処理装置からの指示に基づいて、前記ファイル転送プロトコルに従い前記情報処理装置に対して送出するファイル送出手段を備えている。
【００１５】
請求項１１記載の通信プログラムは、外部装置と通信する通信機能を有し、情報処理装置とネットワークを介してデータ通信するデータ通信手段を備えた通信装置のコンピュータに実行させる通信プログラムであって、前記外部装置との間でやりとりされる通信データを所定の保存先に記録させる記録ステップと、前記外部装置との間で通信が行われている場合に、その旨を前記データ通信手段によりネットワークを介して前記情報処理装置に対し報知する報知ステップと、前記情報処理装置から出力される記録開始指示情報を、前記データ通信手段によりネットワークを介して受信する受信ステップと、前記外部装置との間で通信が行われている間に、前記受信手段により前記ネットワークを介して前記記録開始指示情報を受信した場合に、前記外部装置との間でやりとりされる通信データを前記記録手段により前記保存先に対して記録開始する記録制御ステップとを備えている。
【発明の効果】
【００１６】
請求項１記載の情報処理プログラムによれば、本プログラムを情報処理装置のコンピュータに実行させることで、データ通信手段により、外部装置と通信する通信機能を有した通信装置とネットワークを介してデータ通信され、検出ステップにより、外部装置と通信装置との間でやりとりされる通信データの記録開始を指示する記録指示が入力されたかが検出される。検出ステップにより記録指示が入力されたと検出された場合に、出力ステップにより、外部装置と通信装置との間でやりとりされる通信データを所定の保存先に対して記録開始するように指示する記録開始指示情報が、データ通信手段によりネットワークを介して通信装置に対し出力される。よって、ユーザは、通信装置を操作しなくても、情報処理を操作して通信装置に対し記録開始指示情報を出力することにより、通信装置に通信データの記録開始を指示することができるという効果がある。即ち、ユーザが通信装置を操作できない場所にいたとしても、ユーザは通信装置と接続された情報処理装置を操作すれば、通信装置に対し通信データの記録開始を指示することができるので、ユーザにとって使い勝手が良いという効果がある。
【００１７】
請求項２記載の情報処理プログラムによれば、請求項１記載の情報処理プログラムの奏する効果に加え、検知ステップにより、外部装置と通信装置とが通信されているかが検知され、検知ステップにより外部装置と通信装置とが通信されていると検知されたことを条件として、検出ステップによって、記録指示が入力されたかの検出が開始される。よって、外部装置と通信装置とが通信されていると検知されてから、記録指示が入力されたかが検出されるので、外部装置と通信装置とが通信されている場合に、通信装置に対して記録開始指示情報を出力することができ、その他の場合に、通信装置に対して記録開始指示情報が出力されることを抑制することができるという効果がある。よって、不必要なタイミングで記録開始指示を出力することで、通信装置側が誤動作する、といった不具合を防止することができるという効果がある。
【００１８】
請求項３記載の情報処理プログラムによれば、請求項２記載の情報処理プログラムの奏する効果に加え、検知ステップにより外部装置と通信装置とが通信されていると検知されたことを条件として、表示制御ステップによって、ユーザの操作に基づいて記録指示を入力するための入力画面が、文字や記号を表示可能に構成された表示手段に表示されるので、ユーザは、直ちに入力画面に対して記録指示を入力して、通信装置に対して迅速に記録開始指示情報を出力することができるので、使い勝手が良いという効果がある。また、ユーザ自身が入力画面を表示させる手間を省くことができるという効果がある。
【００１９】
請求項４記載の情報処理プログラムによれば、請求項１から３のいずれかに記載の情報処理プログラムの奏する効果に加え、記録先指示ステップにより、外部装置と通信装置との間でやりとりされる通信データを記録させる保存先が、データ通信手段によりネットワークを介して通信装置に対し指示されるので、ユーザは、通信装置を操作しなくても、通信データを記憶させる保存先を通信装置に対し指示することができるという効果がある。例えば、ユーザが通信装置を操作できない場所にいたとしても、通信装置に通信データの保存先をユーザにとって都合のよい保存先で指示することができるので、ユーザにとって使い勝手が良いという効果がある。
【００２０】
請求項５記載の情報処理プログラムによれば、請求項４記載の情報処理プログラムの奏する効果に加え、記録先指示ステップによって、通信装置の内部に固定的に設けられている通信装置記憶部と、通信装置に着脱可能に設けられている記憶媒体と、情報処理装置に設けられている情報処理装置記憶部とのうち、少なくとも１つが保存先として、データ通信手段によりネットワークを介して通信装置に対し指示される。よって、通信データの保存先は、複数の選択肢の中から指定されるので、ユーザの判断により、通信データを適切な場所に記憶させることができるという効果がある。
【００２１】
請求項６記載の情報処理プログラムによれば、請求項４または５記載の情報処理プログラムの奏する効果に加え、表示制御ステップにより、ユーザの操作に基づいて保存先を選択するための入力画面が表示手段に表示され、記録先指示ステップによって、表示手段に表示される入力画面を介して選択された保存先が、外部装置と通信装置との間でやりとりされる通信データの保存先として、データ通信手段によりネットワークを介して通信装置に対し指示される。よって、ユーザは、入力画面に表示される保存先を選択するという簡単な操作で、通信データの保存先を指定することができるので、使い勝手が良いという効果がある。
【００２２】
請求項７記載の通信装置によれば、データ通信手段により、情報処理装置とネットワークを介してデータ通信され、記録手段により、外部装置との間でやりとりされる通信データが所定の保存先に記録される。外部装置との間で通信が行われている場合に、報知手段によって、その旨がデータ通信手段によりネットワークを介して情報処理装置に対し報知され、受信手段により、情報処理装置から出力される記録開始指示情報が、ネットワークを介して受信される。外部装置との間で通信が行われている間に、受信手段によりネットワークを介して記録開始指示情報が受信された場合に、記録制御手段によって、外部装置との間でやりとりされる通信データが記録手段により保存先に対して記録開始される。よって、ユーザが通信装置を操作しなくても、情報処理装置から出力される記録開始指示情報を受信することにより、その記録開始指示情報に基づいて、通信データを保存先に記録開始することができるという効果がある。例えば、ユーザが通信装置を操作できない場所にいたとしても、記録開始指示情報を受信することにより通信データを記録開始することができるので、ユーザにとって使い勝手が良いという効果がある。つまり、通信装置に対する操作に限らず、記録開始指示情報を通信装置に対して送出できる装置に対する操作によっても通信データの記録開始が指示できるため、ユーザの都合に応じて操作方法を選択し、通信データの記録開始を指示することができるという効果がある。
【００２３】
請求項８記載の通信装置によれば、請求項７に記載の通信装置の奏する効果に加え、通信装置記憶部は、装置の内部に固定的に設けられており、記憶媒体は、装置に着脱可能に設けられている。情報処理装置からネットワークを介して指示される保存先情報に基づいて、記録手段によって、通信装置記憶部と、記憶媒体とのうち、少なくとも１つが保存先とされ、外部装置との間でやりとりされる通信データが記憶される。よって、ユーザは、通信装置に対し保存先情報により通信データの保存先を指示することにより、所望とする場所に通信データを記憶させることができるという効果がある。つまり、通信装置に対する操作に限らず、保存先情報を通信装置に対して送出できる装置に対する操作によっても通信データの保存先が指示できるため、使い勝手がよいものとなるという効果がある。
【００２４】
請求項９記載の通信装置によれば、請求項８記載の通信装置の奏する効果に加え、情報処理装置からネットワークを介して指示される保存先情報が示す保存先が、その情報処理装置側に存在する場合に、通信データ転送手段によって、外部装置との間でやりとりされる通信データが、データ通信手段によりネットワークを介して情報処理装置へ転送される。これにより、情報処理装置側に存在する保存先に対しても通信データを記憶させることができ、通信データの保存先の選択肢が広がり、ユーザの判断により、通信データを適切な場所に記憶させることができるという効果がある。
【００２５】
請求項１０記載の通信装置によれば、請求項７から９のいずれかに記載の通信装置の奏する効果に加え、記録手段により、記憶媒体もしくは通信装置記憶部に対して、外部装置との間でやりとりされる通信データがデータファイルとして記録され、ファイル送出手段により、記憶媒体もしくは通信装置記憶部に記録されているデータファイルが、情報処理装置からの指示に基づいて、ファイル転送プロトコルに従い情報処理装置に対して送出される。よって、ユーザは情報処理装置を操作して通信装置に指示を送ることにより、通信装置の記憶媒体もしくは通信装置記憶部から情報処理装置へデータファイルを送出させることができ、ユーザは、その送出されたデータファイルを情報処理装置で受信して利用することができるという効果がある。即ち、情報処理装置と通信装置とがネットワークを介して接続されていれば、ユーザは、情報処理装置を操作して通信装置に記憶されるデータファイルを容易に取得することができるという効果がある。
【００２６】
請求項１１記載の通信プログラムによれば、本プログラムを通信装置のコンピュータに実行させることで、データ通信手段により、情報処理装置とネットワークを介してデータ通信され、記録ステップにより、外部装置との間でやりとりされる通信データが所定の保存先に記録される。外部装置との間で通信が行われている場合に、報知ステップによって、その旨がデータ通信手段によりネットワークを介して情報処理装置に対し報知され、受信ステップにより、情報処理装置から出力される記録開始指示情報が、ネットワークを介して受信される。外部装置との間で通信が行われている間に、受信ステップによりネットワークを介して記録開始指示情報が受信された場合に、記録制御ステップによって、外部装置との間でやりとりされる通信データが記録手段により保存先に対して記録開始される。よって、ユーザが通信装置を操作しなくても、情報処理装置から出力される記録開始指示情報を受信することにより、その記録開始指示情報に基づいて、通信データを保存先に記録開始することができるという効果がある。例えば、ユーザが通信装置を操作できない場所にいたとしても、記録開始指示情報を受信することにより通信データを記録開始することができるので、ユーザにとって使い勝手が良いという効果がある。つまり、通信装置に対する操作に限らず、記録開始指示情報を通信装置に対して送出できる装置に対する操作によっても通信データの記録開始が指示できるため、ユーザの都合に応じて操作方法を選択し、通信データの記録開始を指示することができるという効果がある。
【発明を実施するための最良の形態】
【００２７】
以下、本発明の好ましい実施形態について、添付図面を参照して説明する。図１は、本発明の実施形態における多機能周辺装置（以下、「ＭＦＰ（Ｍｕｌｔｉ  Ｆｕｎｃｔｉｏｎ  Ｐｅｒｉｐｈｅｒａｌ）」と称す）１と、子機３１と、パーソナルコンピュータ（以下、「ＰＣ」と称す）５１との電気的構成を示すブロック図である。ＭＰＦ１は、電話回線網１００を介して接続される外部装置（図示せず）と通信可能な通信装置（通信機能）を有した多機能周辺装置である。
【００２８】
図１に示すように、ＭＦＰ１は、無線通信制御部１５を介した無線通信３００により接続されるコードレス式の子機３１を有しており、子機３１は、ＭＦＰ１および電話回線網１００を介して接続される外部装置と通話可能に構成されている。また、ＭＦＰ１は、ＬＡＮインターフェイス１７を介してＬＡＮ２００と接続されており、そのＬＡＮ２００に接続されるＰＣ５１とデータ通信可能に構成されている。
【００２９】
このＭＦＰ１では、子機３１と外部装置との間で通話が行われている場合に、ユーザが、ＰＣ５１の表示装置５８の画面上に表示される録音操作画面（図２参照）に従って、簡単な操作を行うことにより、ユーザは、録音操作のために外部装置との間の通話を中断することなく、子機３１と外部装置との間で行われている通話を録音することができる。
【００３０】
まず、ＭＦＰ１の電気的構成について説明する。ＭＦＰ１は、ＣＰＵ１１、ＲＯＭ１２、ＲＡＭ１３、フラッシュメモリ１４、無線通信制御部１５、ＬＡＮインターフェイス１７、送受話器１８、音声処理部１９、ＮＣＵ２０、操作キー２１、メモリカードスロット２２、計時回路２３とを主に有している。
【００３１】
ＣＰＵ１１、ＲＯＭ１２、ＲＡＭ１３、フラッシュメモリ１４は、バスライン２６を介して互いに接続されている。また、ＭＦＰ１の無線通信制御部１５、ＬＡＮインターフェイス１７，送受話器１８、音声処理部１９、ＮＣＵ２０、操作キー２１、メモリカードスロット２２、計時回路２３、バスライン２６は、入出力ポート２７を介して互いに接続されている。
【００３２】
ＭＦＰ１のＣＰＵ１１は、ＲＯＭ１２やＲＡＭ１３やフラッシュメモリ１４に記憶される固定値やプログラム或いは、ＬＡＮインターフェイス１７を介して送受信される各種信号に従って、ＭＦＰ１が有している各機能の制御や、入出力ポート２７と接続された各部を制御するものである。
【００３３】
ＲＯＭ１２は、ＭＦＰ１で実行される制御プログラムなどを格納した書換不能なメモリであり、図３のフローチャートに示す通信プログラムや、図５のフローチャートに示すＦＴＰサーバプログラムは、このＲＯＭ１２に格納されている。このＲＯＭ１２には、ＰＣ５１から送信される音声ファイルの送信要求を受信した場合（図５のＳ４５の処理）に、その要求された音声ファイルをＰＣ５１へ送信するＦＴＰサーバプログラムが格納されるＦＴＰサーバプログラムメモリ１２ａと、音声データメモリ１３ａ（後述する）に記憶される音声ファイルのデータ形式を変換する音声データ変換プログラムが格納される音声データ変換プログラムメモリ１２ｂと、音声データメモリ１３ａに記憶可能な音声データ（音声ファイル）の最大時間を示す録音可能時間が格納される録音可能時間メモリ１２ｃとが設けられている。なお、本実施形態では、録音時間で管理しているが、音声データのデータ量に基づいて管理する方式であってもよい。
【００３４】
ＦＴＰサーバプログラムメモリ１２ａに格納されるＦＴＰサーバプログラムは、ＭＦＰ１をＦＴＰサーバとして機能させるプログラムである。このプログラムがＣＰＵ１１により実行されると、ＭＦＰ１はＦＴＰサーバとして機能し、ＦＴＰクライアント（本実施形態では、ＰＣ５１）と、ファイル転送プロトコルに基づいて通信を行い、ＰＣ５１からから送信される要求に従って、音声データメモリ１３ａに記憶される音声ファイル名の一覧や、指定された音声ファイルを、ＰＣ５１に対して送信する。
【００３５】
音声データ変換プログラムメモリ１２ｂに格納される音声データ変換プログラムは、音声処理部１９により音声データメモリ１３ａに記憶されるＰＣＭ形式の音声ファイルのデータ形式を、ユーザが所望する別のデータ形式に変換するプログラムである。例えば、ＰＣＭ形式を、ＷＡＶＥ形式やＭＰ３形式などに変換する。録音可能時間メモリ１２ｃに格納される録音可能時間は、音声データメモリ１３ａが初期化された状態から、音声データメモリ１３ａに記憶することができる通話の音声データの最大時間であり、例えば、「３０（分）」という数値である。
【００３６】
ＲＡＭ１３は、書き替え可能な揮発性のメモリであり、ＭＦＰ１の各操作の実行時に各種のデータを一時的に記憶するためのメモリである。ＲＡＭ１３には、音声処理部１９により変換される通話の音声データが音声ファイルとして記憶される音声データメモリ１３ａと、音声ファイルの保存先が記憶されるデータ保存先メモリ１３ｂと、音声データメモリ１３ａに記憶される全音声データの録音時間が記憶される録音時間メモリ１３ｃとが設けられている。
【００３７】
音声データメモリ１３ａには、ＰＣ５１から送信される録音開始命令を受信した場合に、または、子機３１の録音開始ボタン３１ａが押下された場合に、子機３１と外部装置との間で行われている通話が、音声処理部１９により音声データに変換されて音声ファイルとして記憶される。この音声データメモリ１３ａには、後述する処理において、録音した音声ファイルの保存先として、ＭＦＰ１本体が指定された場合に、音声ファイルを記憶するためのフォルダが設けられており、例えば、「ＭＦＰ」という名称のフォルダが設けられている。
【００３８】
データ保存先メモリ１３ｂは、ＰＣ５１から送信される録音開始命令を受信した場合に、または、子機３１の録音開始ボタン３１ａが押下された場合における、上記音声ファイルを保存する保存先が記憶されるメモリである。ユーザは、後述するＰＣ５１の録音アプリケーションプログラムにおいて、音声ファイルの保存先を入力したり、予め選択肢として用意されている保存先から何れかを選択することにより、上記音声ファイルの保存先を指定することができる。即ち、ユーザにより入力された保存先、または、選択された保存先が、ＰＣ５１からＭＦＰ１へ送信されて、このデータ保存先メモリ１３ｂに記憶される。なお、本実施形態においては、通話の音声データは、一旦、音声データメモリ１３ａに音声ファイルとして記憶され、通話が終了した場合に、データ保存先メモリ１３ｂに記憶される保存先へ移動、または、送信される。また、このように保存される音声ファイルには、例えば、通話日時や通話の相手先等の情報に基づいて、自動的にファイル名が付加され、後から音声データに基づく音声を再生出力させる際に、どの音声ファイルが所望のファイルであるかを区別できるように構成される。
【００３９】
フラッシュメモリ１４は書換可能な不揮発性のメモリであり、このフラッシュメモリ１４に記憶されたデータは、ＭＦＰ１の電源オフ後も保持される。フラッシュメモリ１４には、ＭＦＰ１のＩＰアドレスが記憶されるＩＰアドレスメモリ１４ａと、ＭＦＰ１のサブネットマスクが記憶されるサブネットマスクメモリ１４ｂとが設けられている。ＩＰアドレスおよびサブネットマスクは、ＦＴＰサーバプログラムが、データ通信で使用する値である。
【００４０】
無線通信制御部１５は、コードレス用アンテナ１６を有しており、子機３１との間で、無線通信を行い音声信号を送受信するものである。ＬＡＮインターフェイス１７は、ＬＡＮケーブルの一端側を、ＬＡＮインターフェイス１７の接続口に接続し、他端側をＬＡＮ２００と接続することにより、ＬＡＮ２００に接続されている各種装置とのデータ通信を可能とする既知の回路である。
【００４１】
送受話器１８は、通話を行うための装置であり、マイクロフォンとスピーカとを有している。マイクロフォンは、入力された音声を音声信号（電気信号）に変換するものであり、また、スピーカは、音声信号を音声に変換して出力するものである。
【００４２】
音声処理部１９は、無線通信制御部１５と、送受話器１８と、ＮＣＵ２０と電気的に接続されており、無線通信制御部１５、送受話器１８、ＮＣＵ２０から送信される音声信号は、この音声処理部１９を介して、無線通信制御部１５や送受話器１８やＮＣＵ２０へ送信される。音声処理部１９は、ＣＰＵ１１により通話の録音開始を指示されると、音声処理部１９に入力される音声信号をＰＣＭ形式の音声データに変換し、音声ファイルとして音声データメモリ１３ａに記憶する。
【００４３】
ＮＣＵ２０は、電話回線網１００と接続されており、電話回線網１００へのダイヤル信号の送出や、電話回線網１００からの呼出信号の応答などの制御を行うものである。操作キー２１は、ＭＦＰ１を操作するための操作入力キーにより構成されている。ユーザは、操作入力キーの押下により、電話番号を入力して電話回線網１００を介して外部装置と接続することができる。また、送受話器１８と外部装置との間や、子機３１と外部装置との間で行われている通話の録音を開始させたり、停止させたりすることができる。
【００４４】
メモリカードスロット２２は、メモリカード２２ａが挿入されている場合に、そのメモリカード２２ａに音声ファイルを記憶したり、記憶されている音声ファイルを読み取ることができる。なお、本実施形態においては、メモリカード２２ａには、音声ファイルを記憶するためのフォルダが設けられており、例えば、「ＭＣ」という名称のフォルダが設けられている。メモリカード２２ａとしては、例えば、コンパクトフラッシュ（登録商標）、スマートメディア（登録商標）、メモリースティック（登録商標）、ＳＤカード（登録商標）、ｘＤ（登録商標）などが該当する。そして、計時回路２５は、現在の日時を刻む時計機能を有する既知の回路である。
【００４５】
次に、子機３１の電気的構成について説明する。子機３１は、無線通信３００により、ＭＦＰ１の無線通信制御部１５と接続して音声信号を送受信し、ＭＦＰ１および電話回線網１００を介して接続される外部装置と通話可能に構成されている。子機３１には、通話開始や通話中に各種操作を行うための操作ボタンが操作部に設けられている。その操作部には、録音開始ボタン３１ａが設けられており、ユーザが子機３１を使用して外部装置との間で通話を行っている場合に、その録音開始ボタン３１ａが押下されると、ＭＦＰ１の音声処理部１９により、その通話（音声データ）が音声ファイルとして音声データメモリ１３ａに記憶される。
【００４６】
次に、ＰＣ５１の電気的構成について説明する。ＰＣ５１は、ＣＰＵ５２、ＲＯＭ５３、ＲＡＭ５４、ハードディスク５５、ＬＡＮインターフェイス５６、入力装置５７、表示装置５８、ＵＳＢインターフェイス５９とを主に有しており、これらはバスライン６０を介して互いに接続されている。
【００４７】
ＣＰＵ５２は、ＲＯＭ５３やＲＡＭ５４やハードディスク５５に記憶される固定値やプログラム或いは、ＬＡＮインターフェイス５６を介して送受信される各種信号に従って、ＰＣ５１が有している各機能の制御や、バスライン６０により接続された各部を制御するものである。
【００４８】
ＲＯＭ５３は、ＰＣ５１で実行される各種の制御プログラムを記憶する書換不能なメモリである。ＲＡＭ５４は各種のデータを一時的に記憶するための書換可能なメモリである。ＲＡＭ５４には、データ保存先メモリ５４ａが設けられている。データ保存先メモリ５４ａには、後述するＰＣ５１の録音アプリケーションプログラムの録音操作画面（図２参照）において、ユーザが通話の録音される音声ファイルの保存先を入力したり、予め決められた保存先から何れかを選択した場合に、その保存先が記憶される。
【００４９】
ハードディスク５５は、書換可能な不揮発性のメモリであり、ハードディスク５５に記憶されたデータは、ＰＣ５１の電源オフ後も保持される。このハードディスク５５には、図４のフローチャートに示す録音アプリケーションプログラムが記憶される録音アプリケーションプログラムメモリ５５ａと、図６のフローチャートに示すブラウザプログラム（以下、「ブラウザ」と称す）が記憶されるブラウザメモリ５５ｂと、ＭＦＰ１から送信される音声ファイルを記憶するための音声データメモリ５５ｃとが設けられている。
【００５０】
録音アプリケーションプログラムメモリ５５ａに記憶される録音アプリケーションプログラムは、ＰＣ５１からＭＦＰ１に対し、通話の録音開始、または、録音停止を指示するとともに、ＭＦＰ１により録音される通話（音声データ）の音声ファイルの保存先を指定するためのプログラムである。
【００５１】
ブラウザメモリ５５ｂに記憶されるブラウザは、ＰＣ５１をＦＴＰクライアントとして機能させるプログラムである。ブラウザとしては、インターネットエクスプローラなどが知られている。このブラウザがＣＰＵ５２により実行されている場合に、ユーザによって、アドレス入力欄に、ＭＦＰ１を特定するアドレスと、通信プロトコルをファイル転送プロトコルと指定する文字列とが入力されると、ＰＣ５１はＦＴＰクライアントとして機能し、ＦＴＰサーバ（本実施形態では、ＭＦＰ１）との間でファイル転送プロトコルに基づいて通信を行う。
【００５２】
例えば、ＰＣ５１がＦＴＰサーバ（ＭＦＰ１）に対して、『ＦＴＰサーバに存在するフォルダ情報の送信要求』を送信したとする。ＦＴＰサーバ（ＭＦＰ１）において、ＦＴＰクライアントに公開する記憶領域がＲＡＭ１３であると内部的に設定されている場合、その要求を受信したＦＴＰサーバ（ＭＦＰ１）は、そのＲＡＭ１３内に存在するフォルダ情報をＰＣ５１に対して送信する。ＰＣ５１は、ＦＴＰサーバ（ＭＦＰ１）よりフォルダ情報を受信すると、その受信したフォルダ情報を表示装置５８に表示する。
【００５３】
ユーザによって、表示装置５８に表示されているフォルダ情報の中から、音声ファイルが格納されているフォルダであるＲＡＭ１３内の「ＭＦＰ」という名称のフォルダがクリック操作等により指定されると、ＰＣ５１は、ＦＴＰサーバ（ＭＦＰ１）に対して、『フォルダ「ＭＦＰ」内のファイル名一覧の送信要求』を送信する。ＦＴＰサーバ（ＭＦＰ１）は、その要求を受信すると、該当するファイル名一覧の情報をＰＣ５１に対して送信する。ＰＣ５１は、ＦＴＰサーバ（ＭＦＰ１）より音声ファイル名の一覧を受信すると、その受信した音声ファイル名の一覧を表示装置５８に表示する。ユーザによって、そのファイル名一覧の中から任意の音声ファイルが指定されると、ＰＣ５１は、ＦＴＰサーバ（ＭＦＰ１）に対して『指定された音声ファイルの送信要求』を送信する。ＦＴＰサーバ（ＭＰＦ１）は、その要求を受信すると、該当する音声ファイルをＰＣ５１に対して送信するので、ユーザは、ＰＣ５１によって、所望する音声ファイルを受信することができる。
【００５４】
音声データメモリ５５ｃは、ユーザにより、音声ファイルの保存先がＰＣ５１と指定され、ＭＦＰ１に対し通話の録音開始が指示された場合に、ＭＦＰ１からＰＣ５１へ送信される通話の音声ファイルを記憶するメモリである。音声データメモリ５５ｃには、ＭＦＰ１により録音された音声ファイルを記憶するためのフォルダが設けられており、例えば、「Ｃ：￥Ｄｏｃｕｍｅｔｓ  ａｎｄ  ｓｅｔｔｉｎｇｓ￥Ａｌｌ  Ｕｓｅｒｓ￥デスクトップ￥録音データ」という名称のフォルダが設けられている。
【００５５】
ＬＡＮインターフェイス５６は、ＬＡＮケーブルの一端側を、ＬＡＮインターフェイス５６の接続口に接続し、他端側をＬＡＮ２００と接続することにより、ＬＡＮ２００に接続されている各種装置とのデータ通信を可能とする既知の回路である。入力装置５７は、キーボードやマウスなどの入力装置で構成され、表示装置５８は、液晶ディスプレイ等の表示装置で構成される。
【００５６】
ＵＳＢインターフェイス５９は、ＵＳＢケーブルの一端側を、ＵＳＢインターフェイス５９の接続口に接続し、他端側を各種装置に設けられたＵＳＢインターフェイスの接続口に接続することにより、ＰＣ５１と各種装置とはＵＳＢケーブルを介してデータ通信可能となるように構成されている。
【００５７】
次に、図２を参照して、ユーザにより操作される録音アプリケーションプログラムについて説明する。図２は、録音アプリケーションプログラムにより表示される録音操作画面の一例を示すイメージ図である。録音アプリケーションプログラムは、子機３１と外部装置との間で通話が開始された場合に、ＰＣ５１の表示装置５８の画面上に、図２に示す録音操作画面を表示する。
【００５８】
ユーザは、子機３１を使用して通話を行っている際に、この録音操作画面に対して操作することにより、一旦、通話を中断して、子機３１を顔から離し、子機３１の操作部に設けられている通話録音ボタンを押下しなくても、簡単な操作で通話を録音することができる。
【００５９】
図２に示すように、録音操作画面には、ＭＦＰ１により録音される音声データの音声ファイルの保存先を指定するための保存先指定ボタンＣＢ１〜ＣＢ３と、音声ファイルを保存するフォルダ名を入力するためのフォルダ名入力ボックスＴＢ１〜ＴＢ３と、通話の録音開始を指示するための録音開始ボタンＢＴ１と、通話の録音停止を指示するための録音停止ボタンＢＴ２とが設けられている。
【００６０】
保存先指定ボタンＣＢ１〜ＣＢ３は、音声ファイルの保存先を指定するためのボタンであり、ユーザはマウスを操作して、何れかの各保存先指定ボタンＣＢ１〜ＣＢ３をクリックして選択することにより、三者択一でＭＦＰ１により録音される音声ファイルの保存先を指定することができる。この保存先指定ボタンＣＢ１〜ＣＢ３は、未選択の状態であれば白く表示され、選択された状態であれば黒く表示される。なお、指定可能な保存先としては、図２の例に限定されるものではなく、他の保存先を含んでいても良い。例えば、ＭＦＰ１に対してＰＣが複数接続されている場合、この録音操作画面に表示されているＰＣ５１以外の別のＰＣを保存先として指定できるように構成してもよい。
【００６１】
ここで、保存先指定ボタンＣＢ１が選択されると、保存先指定ボタンＣＢ１のみが黒く表示されて、ＭＦＰ１が選択された場合の保存先として予め設定されている音声データメモリ１３ａが、音声ファイルの保存先に指定される。同様に、保存先指定ボタンＣＢ２が選択されると、保存先指定ボタンＣＢ２のみが黒く表示され、ＭＦＰ１のメモリカードスロット２２に挿入されているメモリカード２２ａが音声ファイルの保存先に指定され、保存先指定ボタンＣＢ３が選択されると、保存先指定ボタンＣＢ３のみが黒く表示され、ＰＣ５１が選択された場合の保存先として予め設定されている音声データメモリ５５ｃが、音声ファイルの保存先に指定される。
【００６２】
各保存先指定ボタンＣＢ１〜ＣＢ３の右側には、フォルダ名を入力するためのフォルダ名入力ボックスＴＢ１〜ＴＢ３が表示されている。保存先指定ボタンＣＢ１は、フォルダ名入力ボックスＴＢ１と対応し、保存先指定ボタンＣＢ２は、フォルダ名入力ボックスＴＢ２と対応し、保存先指定ボタンＣＢ３は、フォルダ名入力ボックスＴＢ３と対応している。
【００６３】
図２に示すように、フォルダ名入力ボックスＴＢ１には、「ＭＦＰ」と入力されており、フォルダ名入力ボックスＴＢ２には、「ＭＣ」と入力されており、フォルダ名入力ボックスＴＢ３には、「Ｃ：￥Ｄｏｃｕｍｅｔｓ  ａｎｄ  Ｓｅｔｔｉｎｇｓ￥Ａｌｌ  Ｕｓｅｒｓ￥デスクトップ￥録音データ」と入力されている。ユーザはキーボードを操作して、フォルダ名入力ボックスＴＢ１〜ＴＢ３に、フォルダ名を入力することにより、ＭＦＰ１により録音される音声ファイルの保存先のフォルダ名を指定することができる。
【００６４】
つまり、ユーザは、保存先指定ボタンＣＢ１〜ＣＢ３の何れかを選択することで音声ファイルの保存先を指定でき、さらに、選択した保存先指定ボタンＣＢ１〜ＣＢ３に対応するフォルダ名入力ボックスＴＢ１〜ＴＢ３に、フォルダ名を入力することで、音声ファイルの保存先のフォルダ名を指定できるのである。図２に示す録音操作画面は、音声ファイルの保存先として、ＭＦＰ１の音声データメモリ１３ａが指定され、音声ファイルの保存先のフォルダ名として、「ＭＦＰ」というフォルダが指定されている状態を示している。なお、保存先のフォルダ名は毎回入力する必要はなく、一度入力されたフォルダ名がデフォルトとして自動的に表示される構成であってもよい。
【００６５】
ここで、ユーザにより、マウスで録音開始ボタンＢＴ１がクリックされると、録音アプリケーションプログラムは、ＭＦＰ１に対して、録音開始命令を送信するとともに、音声ファイルの保存先のフォルダ名を含むデータ保存先情報を送信する。なお、子機３１と外部装置との間で通話が開始されていない場合は、ユーザにより、マウスで録音開始ボタンＢＴ１がクリックされたとしても、ＭＦＰ１に対して、録音開始命令は送信されない。即ち、ユーザは、子機３１と外部装置との間で通話が開始されている場合に、マウスで録音開始ボタンＢＴ１をクリックすることで、ＭＦＰ１に対して、録音開始命令を送信することができる。つまり、その他の場合にＭＦＰ１へ録音開始命令が送信されることが抑制される。
【００６６】
そして、ＭＦＰ１は、ＰＣ５１から送信される録音開始命令と、データ保存先情報とを受信すると、通話の録音を開始する。また、ＭＦＰ１において、通話が録音されている場合に、ユーザにより、マウスで録音停止ボタンＢＴ２がクリックされると、録音アプリケーションプログラムは、ＭＦＰ１に対して、録音停止命令を送信する。ＭＦＰ１は、ＰＣ５１から送信される録音停止命令を受信すると、通話の録音を終了する。
【００６７】
上述したように、ユーザが、子機３１を使用して外部装置との間で通話を開始すると、ＰＣ５１の表示装置５８の画面上に、録音アプリケーションプログラムの録音操作画面が表示されるので、ユーザは、ＰＣ５１を操作して録音操作画面を手動で表示させることなく、直ちにマウスを操作して録音開始ボタンＢＴ１を押下することができ、迅速に子機３１と外部装置との間で行われている通話を録音開始することができるので使い勝手がよい。
【００６８】
そして、ユーザは、その録音操作画面において、マウスで音声ファイルの保存先を指定する保存先指定ボタンＣＢ１〜ＣＢ３をクリックして選択し、録音開始ボタンＢＴ１をクリックするという簡単な操作で、子機３１と外部装置との間で行われている通話を録音することができる。即ち、ユーザは、ＭＦＰ１や子機３１を操作しなくても、また、ＭＦＰ１を操作できない場所にいたとしても、ＰＣ５１に表示されている録音操作画面において録音開始ボタンＢＴ１をクリックするという簡単な操作で通話を録音することができるので、通話の録音の操作を行うために、一旦、通話を中断しなくても良く、使い勝手が良い。
【００６９】
また、音声ファイルの保存先を複数の保存先から選択して指定すれば、ＭＦＰ１に対し所望の保存先を指示できるので、ユーザは、簡単な操作で適切な保存先へ音声ファイルを保存することができ、使い勝手が良い。また、通話を録音する毎に、保存する音声ファイルの保存先を指定することができるので、通話を録音する毎に、音声ファイルを所望する保存先へ保存することができる。
【００７０】
次に、図３を参照して、ＭＦＰ１のＣＰＵ１１により実行されるメイン処理について説明する。
【００７１】
図３は、ＭＦＰ１のメイン処理を示すフローチャートであり、ＭＦＰ１の主電源が投入されてから主電源が遮断されるまで繰り返し実行される処理である。このメイン処理は、ＭＦＰ１が、ＰＣ５１から送信される録音開始命令を受信した場合に、ＰＣ５１から送信されるデータ保存先情報を受信して、子機３１と外部装置との間で行われている通話を録音するための処理である。
【００７２】
このメイン処理では、まず、ＣＰＵ１１は、音声データメモリ１３ａと録音時間メモリ１３ｃとを初期化し（Ｓ１）、子機３１と外部装置との間で通話が開始されるまで待機する（Ｓ２：Ｎｏ）。子機３１と外部装置との間で通話が開始された場合は（Ｓ２：Ｙｅｓ）、ＰＣ５１に対して、通話開始通知を送信し（Ｓ３）、子機３１と外部装置との間の通話が終了したかを判定する（Ｓ４）。なお、通話が開始されたか、または、通話が終了されたかは、ＮＣＵ２０が電話回線網１００を介して外部装置と接続されているか、または、未接続であるかにより判断する。また、Ｓ１の初期化は、録音アプリケーションの起動に際して必ずしも毎回行う必要はない。例えば、音声データメモリ１３ａの記憶内容を録音アプリケーションが起動中であるか否かに関係なく保持しておき、ＰＣ５１もしくはＭＦＰ１からの所定の消去指示に基づいて消去するように構成してもよい。
【００７３】
Ｓ４の処理において、通話が終了した場合は（Ｓ４：Ｙｅｓ）、ＰＣ５１に対して、通話終了通知を送信し（Ｓ５）、Ｓ２の処理に戻り、Ｓ２〜Ｓ５の各処理を繰り返す。一方、通話が終了していない場合は（Ｓ４：Ｎｏ）、ＰＣ５１から送信される録音開始命令を受信したかを判定し（Ｓ６）、録音開始命令を受信するまで（Ｓ６：Ｎｏ）、Ｓ４〜Ｓ６の各処理を繰り返す。
【００７４】
Ｓ６の処理において、ＰＣ５１から送信される録音開始命令を受信した場合は（Ｓ６：Ｙｅｓ）、ＰＣ５１から送信されるデータ保存先情報を受信し、データ保存先情報に含まれる音声ファイルの保存先のフォルダ名をデータ保存先メモリ１３ｂに保存する（Ｓ７）。
【００７５】
そして、子機３１と外部装置との間の通話が終了したかを判定し（Ｓ８）、通話が終了した場合は（Ｓ８：Ｙｅｓ）、Ｓ９〜Ｓ１２の処理をスキップし、Ｓ１３の処理に移行する。一方、通話中である場合は（Ｓ８：Ｎｏ）、通話中の音声を音声データに変換し、音声ファイルとして音声データメモリ１３ａに記憶し（Ｓ９）、音声データメモリ１３ａに記憶される全音声データの録音時間を、録音時間メモリ１３ｃに記憶する（Ｓ１０）。例えば、すでに録音時間メモリ１３ｃにそれまでに記憶された音声データの録音時間が記憶されている場合は、新たに記憶する音声データの録音時間を加算することにより、録音時間メモリ１３ｃにおける全音声データの録音時間を更新する。
【００７６】
録音時間メモリ１３ｃに記憶される録音時間が、録音可能時間メモリ１２ｃに格納されている録音可能時間を超過したかを判定し（Ｓ１１）、録音時間が録音可能時間を超過した場合は（Ｓ１１：Ｙｅｓ）、Ｓ１２の処理をスキップし、Ｓ１３の処理に移行する。一方、録音時間が録音可能時間を超過していない場合は（Ｓ１１：Ｎｏ）、ＰＣ５１から送信される録音停止命令を受信したかを判定する（Ｓ１２）。
【００７７】
Ｓ１２の処理において、ＰＣ５１から送信される録音停止命令を受信していない場合は（Ｓ１２：Ｎｏ）、Ｓ８の処理に戻り、上述したＳ８〜Ｓ１２の各処理を繰り返す。一方、ＰＣ５１から送信される録音停止命令を受信した場合は（Ｓ１２：Ｙｅｓ）、音声データメモリ１３ａに記憶した音声ファイルのデータ形式を、別のデータ形式（例えば、ＷＡＶＥ形式やＭＰ３形式）に変換する（Ｓ１３）。
【００７８】
即ち、音声データ変換プログラムを実行して、音声処理部１９によって音声データメモリ１３ａに記憶されたＰＣＭ形式の音声ファイルを、ＰＣ５１などで再生可能な別のデータ形式（ＷＡＶＥ形式やＭＦＰ３形式）の音声ファイルに変換する。なお、変換の対象となったＰＣＭ形式の音声ファイルは、変換終了後に音声データメモリ１３ａから削除される。そして、別のデータ形式に変換した音声ファイルを、データ保存先メモリ１３ｂに記憶されるフォルダ（保存先）へ移動または送信し（Ｓ１４）、上述したＳ２〜Ｓ１４の各処理を繰り返す。
【００７９】
なお、データ保存先がＭＦＰ１（音声データメモリ１３ａ）以外の場合には、音声データメモリ１３ａに一旦記憶された音声ファイルが指定された保存先に移動されるため、結果的に音声データメモリ１３ａから音声ファイルが消去されることになる。そのため、このような場合には、音声ファイルを音声データメモリ１３ａから移動した後に、録音時間メモリ１３ｃにおける録音時間から移動した音声ファイルの分に相当する録音時間を減算する必要がある。したがって、録音時間メモリ１３ｃに記憶されている録音時間は、音声データメモリ１３ａに記憶されている全音声ファイルの録音時間に常に対応したものとなる。これを利用して、仮に、録音時間メモリ１３ｃに記憶されている録音時間が、録音可能時間メモリ１２ｃに記憶されている録音時間と同じ、あるいは差が所定時間内である場合には、音声データメモリ１３ａへのこれ以上の記憶は無理であると判断し、録音操作画面において、その旨を報知したり、保存先として保存先指定ボタンＣＢ１を選択できないように構成することも可能である。
【００８０】
この図３のフローチャートのメイン処理により、ＭＦＰ１は、ＰＣ５１から送信される録音開始命令を受信した場合に、ＰＣ５１から送信されるデータ保存先情報を受信して、子機３１と外部装置との間で行われている通話の録音を開始することができる。また、ＭＦＰ１は、音声データメモリ１３ａに記憶した音声ファイルを、ＰＣ５１から送信されるデータ保存先情報により指定されるユーザが選択した保存先へ移動、または、送信することができる。したがって、ユーザによって都合のよい保存先を指定し、その保存先において音声ファイル（音声データ）を確認することができる。
【００８１】
次に、図４を参照して、ＰＣ５１のＣＰＵ５２により実行される録音操作処理について説明する。
【００８２】
図４は、ＰＣ５１の録音アプリケーションプログラムメモリ５５ａに記憶される録音アプリケーションプログラムの録音操作処理を示すフローチャートであり、録音アプリケーションの起動中に繰り返し実行される処理である。この録音操作処理は、ＰＣ５１が、ＭＦＰ１から送信される通話開始通知を受信した場合に、表示装置５８の画面上に録音操作画面（図２参照）を表示し、ユーザにより入力される指示に従って、ＭＦＰ１に通話の録音開始や録音停止を指示するための処理である。
【００８３】
この録音操作処理では、まず、データ保存先メモリ５４ａを初期化し（Ｓ２１）、ＭＦＰ１から送信される通話開始通知を受信するまで待機する（Ｓ２２：Ｎｏ）。ＭＦＰ１から送信される通話開始通知を受信した場合は（Ｓ２２：Ｙｅｓ）、表示装置５８の画面上に、録音操作画面（図２参照）が表示されているかを判定する（Ｓ２３）。
【００８４】
Ｓ２３の処理において、表示装置５８の画面上に、録音操作画面が表示されていない場合は（Ｓ２３：Ｎｏ）、表示装置５８の画面上に、録音操作画面を表示し（Ｓ２４）、Ｓ２５の処理に移行する。一方、表示装置５８の画面上に、録音操作画面が表示されている場合は（Ｓ２３：Ｙｅｓ）、ＭＦＰ１から送信される通話終了通知を受信したかを判定する（Ｓ２５）。
【００８５】
Ｓ２５の処理において、通話終了通知を受信した場合は（Ｓ２５：Ｙｅｓ）、Ｓ２２の処理に戻り、Ｓ２２〜Ｓ２５の各処理を繰り返す。一方、通話終了通知を受信していない場合は（Ｓ２５：Ｎｏ）、ユーザにより、音声ファイルの保存先が入力されたかを判定する（Ｓ２６）。即ち、ユーザにより、マウスで保存先指定ボタンＣＢ１〜ＣＢ３の何れかがクリックされ、キーボードでフォルダ名入力ボックスＴＢ１〜ＴＢ３にフォルダ名が入力されたかを判定する。そして、音声ファイルの保存先が入力されていない場合は（Ｓ２６：Ｎｏ）、Ｓ２７の処理をスキップし、Ｓ２８の処理に移行する。一方、音声ファイルの保存先が入力された場合は（Ｓ２６：Ｙｅｓ）、入力された音声ファイルの保存先を、データ保存先情報としてデータ保存先メモリ５４ａに記憶する（Ｓ２７）。なお、データ保存先情報とは、図２を参照して説明した音声ファイルの保存先、及びそのフォルダ名である。
【００８６】
例えば、ユーザにより、マウスで保存先指定ボタンＣＢ１がクリックされ、キーボードでフォルダ名入力ボックスＴＢ１に「ＭＦＰ」と入力されたとする。その場合は、保存先指定ボタンＣＢ１に対応するＭＦＰ（具体的には、ＭＦＰ１における音声データメモリ１３ａ）と、フォルダ名入力ボックスＴＢ１に入力された「ＭＦＰ（音声データ記憶メモリ１３ａ内に存在するフォルダ名）」というフォルダ名とがデータ先保存情報とされる。
【００８７】
次に、ユーザにより、マウスで録音開始ボタンＢＴ１が押下されたかを判定し（Ｓ２８）、録音開始ボタンＢＴ１が押下されていない場合は（Ｓ２８：Ｎｏ）、Ｓ２５の処理に戻り、上述したＳ２５〜Ｓ２８の各処理を繰り返す。一方、録音開始ボタンＢＴ１が押下された場合は（Ｓ２８：Ｙｅｓ）、ＭＦＰ１へ、録音開始命令と、データ保存先情報とを送信する（Ｓ２９）。次に、ユーザにより、マウスで録音停止ボタンＢＴ２が押下されたかを判定し（Ｓ３０）、録音停止ボタンＢＴ２が押下されていない場合は（Ｓ３０：Ｎｏ）、Ｓ３１の処理をスキップし、Ｓ３２の処理に移行する。一方、録音停止ボタンＢＴ２が押下された場合は（Ｓ３０：Ｙｅｓ）、ＭＦＰ１へ、録音停止命令を送信する（Ｓ３１）。
【００８８】
そして、音声ファイルの保存先はＰＣ５１であるかを判定し（Ｓ３２）、音声ファイルの保存先がＰＣ５１でない場合は（Ｓ３２：Ｎｏ）、Ｓ３３の処理をスキップし、Ｓ２２の処理に戻り、上述したＳ２２〜Ｓ３２の各処理を繰り返す。
【００８９】
一方、音声ファイルの保存先がＰＣ５１である場合は（Ｓ３２：Ｙｅｓ）、ＭＦＰ１から送信される音声ファイルを受信して、ＭＦＰ１から指示される保存先へ保存し（Ｓ３３）、Ｓ２２の処理に戻り、上述したＳ２２〜Ｓ３３の各処理を繰り返す。
【００９０】
例えば、Ｓ２６の処理において、ユーザがマウスで保存先指定ボタンＣＢ３をクリックし、フォルダ名入力ボックスＴＢ３に「Ｃ：￥Ｄｏｃｕｍｅｔｓ  ａｎｄ  ｓｅｔｔｉｎｇｓ￥Ａｌｌ  Ｕｓｅｒｓ￥デスクトップ￥録音データ」と入力した状態で、録音開始ボタンＢＴ１を押下したとする。その場合、音声ファイルの保存先はＰＣ５１であるので、ＭＦＰ１において通話の録音が終了したら、ＭＦＰ１からＰＣ５１へ音声ファイルが送信される。また、ＭＦＰ１から音声ファイルを保存するフォルダ名「Ｃ：￥Ｄｏｃｕｍｅｔｓ  ａｎｄ  ｓｅｔｔｉｎｇｓ￥Ａｌｌ  Ｕｓｅｒｓ￥デスクトップ￥録音データ」が指示されているので、ＰＣ５１は、受信した音声ファイルを該当するフォルダへ保存する。
【００９１】
この図４のフローチャートの録音操作処理により、ＰＣ５１が、ＭＦＰ１から送信される通話開始通知を受信した場合に、録音操作画面（図２参照）をＰＣ５１の表示装置５８の画面上に表示することができ、ユーザにより入力される指示に従って、ＭＦＰ１に通話の録音開始や録音停止を指示することができる。ユーザは、その録音操作画面において、マウスやキーボードで音声ファイルの保存先を指定し、録音開始ボタンＢＴ１をクリックするという簡単な操作で、子機３１と外部装置との間で行われている通話を録音することができるので使い勝手が良い。即ち、ユーザは、ＭＦＰ１や子機３１を操作しなくても、また、ＭＦＰ１を操作できない場所にいたとしても、録音操作画面において録音開始ボタンＢＴ１をクリックするという簡単な操作で通話を録音することができるので、通話の録音の操作を行うために、一旦、通話を中断しなくても良く、使い勝手が良い。
【００９２】
また、ユーザは、ＭＦＰ１や子機３１を操作しなくても、また、ＭＦＰ１を操作できない場所にいたとしても、音声ファイルの保存先を複数の保存先から選択して指定すれば、ＭＦＰ１に対して指示できるので、ユーザは、簡単な操作で適切な保存先へ音声ファイルを保存することができ、使い勝手が良い。また、通話を録音する毎に、保存する音声ファイルの保存先を指定することができるので、通話を録音する毎に、音声ファイルを所望する保存先へ保存することができる。
【００９３】
なお、上述した録音アプリケーションプログラムでは、子機３１と外部装置との間で通話が終了しても、表示装置５８の画面上に録音操作画面を表示し続けるが、通話が終了した場合に、録音操作画面を表示装置５８の画面上から消去するように構成しても良い。
【００９４】
例えば、ＭＦＰ１から送信される通話終了通知を受信したり（Ｓ２５の処理）、ユーザによって録音停止ボタンが押下されて（Ｓ３０の処理）から、所定時間（例えば、５分）録音操作画面が操作されなかった場合に、録音操作画面を表示装置５８の画面上から消去するように構成する。その場合は、ユーザによって、その所定時間を自由に変更できるように構成しても良いし、録音操作画面を常に画面上に表示するように設定可能に構成しても良い。さらに、ユーザが、手動で録音操作画面を画面上に表示させた場合には、通話が終了しても画面上から消去しないように構成することも考えられる。ユーザは、表示装置５８の画面上に表示された録音操作画面を、画面上から消去する手間を省くことができるので、使い勝手が良いという効果がある。
【００９５】
次に、図５を参照して、ＭＦＰ１のＣＰＵ１１により実行される音声データ共有処理について説明する。
【００９６】
図５は、ＭＦＰ１のＦＴＰサーバプログラムメモリ１２ａに格納されているＦＴＰサーバプログラムの音声データ共有処理を示すフローチャートであり、ＭＦＰ１の主電源が投入されてから主電源が遮断されるまで繰り返し実行される処理である。この音声データ共有処理は、ＭＦＰ１をＦＴＰサーバとして機能させるためのプログラムである。即ち、ＦＴＰサーバであるＭＦＰ１は、ファイル転送プロトコルに基づいて、ＦＴＰクライアントであるＰＣ５１と通信を行い、ＰＣ５１から送信される要求に従って、音声データメモリ１３ａに記憶されるフォルダの情報、あるいは音声ファイル名の一覧や、指定された音声ファイルを、ＰＣ５１に対して送信するための処理である。
【００９７】
この音声データ共有処理では、ＰＣ５１から接続要求を受信するまで待機し（Ｓ４１：Ｎｏ）、ＰＣ５１から接続要求を受信した場合は（Ｓ４１：Ｙｅｓ）、ＰＣ５１との接続処理を行う（Ｓ４２）。接続要求に対しては、ＭＦＰ１側の設定により、ユーザ名の判断、パスワードの判断等の処理が行われるが、その詳細な説明については省略する。
【００９８】
そして、ＰＣ５１から送信された要求が、フォルダ「ＭＦＰ」内のファイル名一覧の要求であるかを判定し（Ｓ４３）、その要求が、フォルダ「ＭＦＰ」内のファイル名一覧の送信要求である場合は（Ｓ４３：Ｙｅｓ）、ＰＣ５１へ、音声データメモリ１３ａに記憶される音声ファイルのファイル名一覧を送信し（Ｓ４４）、Ｓ４５の処理に移行する。一方、ＰＣ５１から送信された要求が、ファイル名一覧の送信要求でない場合は（Ｓ４３：Ｎｏ）、Ｓ４４の処理をスキップする。
【００９９】
そして、ＰＣ５１から送信された要求が、音声ファイルの送信要求であるかを判定し（Ｓ４５）、その要求が、音声ファイルの送信要求である場合は（Ｓ４５：Ｙｅｓ）、ＰＣ５１へ、要求された音声ファイルを送信する（Ｓ４６）。一方、ＰＣ５１から送信された要求が、音声ファイルの送信要求でない場合は（Ｓ４５：Ｎｏ）、Ｓ４６の処理をスキップする。
【０１００】
そして、ＰＣ５１から送信された要求が、切断要求であるかを判定し（Ｓ４７）、その要求が、切断要求でない場合は（Ｓ４７：Ｎｏ）、ＰＣ５１から送信されたその他の処理を実行し（Ｓ４８）、Ｓ４３の処理に戻り、上述したＳ４３〜Ｓ４８の各処理を繰り返す。
【０１０１】
一方、ＰＣ５１から送信された要求が、切断要求である場合は（Ｓ４７：Ｙｅｓ）、ＰＣ５１との接続を解除し（Ｓ４９）、Ｓ４１の処理に戻り、上述したＳ４１〜Ｓ４９の各処理を繰り返す。
【０１０２】
この図５のフローチャートの音声データ共有処理により、ＭＦＰ１はＦＴＰサーバとして機能し、ファイル転送プロトコルに基づいて、ＦＴＰクライアントであるＰＣ５１と通信を行い、ＰＣ５１から送信される要求に従って、音声データメモリ１３ａに記憶される音声ファイル名の一覧や、指定された音声ファイルを、ＰＣ５１に対して送信することができる。また、ＭＦＰ１に対して複数のＰＣ５１が接続されている場合には、それぞれのＰＣ５１から音声データメモリ１３に記憶されている音声ファイルを参照することが可能となる。
【０１０３】
次に、図６を参照して、ＰＣ５１のＣＰＵ５２により実行される音声データ取得処理について説明する。
【０１０４】
図６は、ＰＣ５１のブラウザメモリ５５ｂに記憶されるブラウザの音声データ取得処理を示すフローチャートであり、ユーザにより起動された場合に実行される処理である。この音声データ取得処理は、ＰＣ５１をＦＴＰクライアントとして機能させるためのプログラムである。即ち、ＦＴＰクライアントであるＰＣ５１が、ファイル転送プロトコルに基づいて、ＦＴＰサーバであるＭＦＰ１と通信を行い、音声ファイル名の一覧や、音声ファイルをＭＦＰ１から取得するための処理である。
【０１０５】
この音声ファイル取得処理では、まず、ＭＦＰ１へ接続要求を送信し、ＭＦＰ１との接続処理を行う（Ｓ５１）。接続が完了すると、ＭＦＰ１へ、フォルダ情報や取得可能な音声ファイルのファイル名一覧の送信を要求し（Ｓ５２）、その要求に応答してＭＦＰ１から送信されてくるフォルダ情報や音声ファイルのファイル名一覧を受信し、表示装置５８の画面上に表示する（Ｓ５３）。
【０１０６】
そして、ユーザによって、表示装置５８の画面上に表示されている音声ファイル名の一覧の中からファイル名が指定されたかを判定し（Ｓ５４）、音声ファイルのファイル名が指定されていない場合は（Ｓ５４：Ｎｏ）、Ｓ５５〜Ｓ５６の処理をスキップし、Ｓ５７の処理に移行する。一方、ユーザにより、音声ファイルのファイル名が指定された場合は（Ｓ５４：Ｙｅｓ）、ＭＦＰ１へ、指定されたファイル名に対応する音声ファイルの送信を要求し（Ｓ５５）、その要求に応答してＭＦＰ１から送信されてくる音声ファイルを、音声データメモリ５５ｃに記憶する（Ｓ５６）。
【０１０７】
次に、ユーザにより、ＭＦＰ１との接続を切断する指示が入力されたかを判定し（Ｓ５７）、ＭＦＰ１との接続を切断する指示が入力されていない場合は（Ｓ５７：Ｎｏ）、Ｓ５４の処理に戻り、Ｓ５４〜Ｓ５７の各処理を繰り返す。一方、ユーザにより、ＭＦＰ１との接続を切断する指示が入力された場合は（Ｓ５７：Ｙｅｓ）、ＭＦＰ１へ切断要求を送信し、ＭＦＰ１との接続を解除する（Ｓ５８）。
【０１０８】
この図６のフローチャートの音声データ取得処理により、ＰＣ５１はＦＴＰクライアントとして機能し、ファイル転送プロトコルに基づいて、ＦＴＰサーバであるＭＦＰ１と通信を行い、取得可能な音声ファイル名の一覧や、音声ファイルをＭＦＰ１から取得することができる。よって、ユーザはＰＣ５１を操作し、ファイル転送プロトコルに基づいて、ＭＦＰ１に指示を送ることにより、ＭＦＰ１からＰＣ５１へ音声ファイルを送信させることができるので、ユーザは、その送信された音声ファイルをＰＣ５１で受信して記憶することができる。即ち、ＰＣ５１とＭＦＰ１とがネットワークを介して接続されていれば、ユーザは、ＰＣ５１を操作してＭＦＰ１に記憶される音声ファイルを取得することができ、ＰＣ５１において音声ファイルの内容を確認することができる。例えば、音声ファイルの音声データをＰＣ５１において音声信号に変換し、スピーカ（図示せず）により出力することで、録音された音声をＰＣ５１で再生することができる。
【０１０９】
なお、図５，図６においては、ＦＴＰサーバ（ＭＦＰ１）において、ＦＴＰクライアントに公開する記憶領域が、ＲＡＭ１３の音声データメモリ１３ａと設定されている場合を例として説明したが、ＦＴＰクライアントに公開する記憶領域が、その他の記憶領域、例えば、ＭＦＰ１に装着されているメモリカード２２ａと設定されている場合でも、同様な処理が行われる。
【０１１０】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１１１】
例えば、上記実施形態では、ユーザがＰＣ５１の録音アプリケーションプログラムの録音操作画面を操作して、子機３１と外部装置との間で行われている通話を録音しているが、ＭＦＰ１の送受話器１８（ＭＦＰ１本体の通話手段）と外部装置との間で行われている通話を録音しても良い。ユーザが、操作キー２１と離れた位置で、送受話器１８を使用して外部装置との間で通話を行っている場合や、例えば、ＭＦＰ１にハンズフリー機能が設けられており、ユーザがハンズフリー機能を利用して外部装置との間で通話を行っているが、操作キー２１を操作できない場合などでも、ユーザは、ＰＣ５１の録音アプリケーションプログラムを操作することで、録音操作のために通話を中断することなく、送受話器１８と外部装置との間で行われている通話を録音することができるので、使い勝手が良い。
【０１１２】
また、上記実施形態では、ユーザがＰＣ５１の録音アプリケーションプログラムを操作して、音声ファイルの保存先を何れか１つ指定しているが、保存先を複数箇所指定できるように構成しても良い。
【０１１３】
また、上記実施形態では、ユーザがＰＣ５１の録音アプリケーションプログラムを操作して、マウスで録音開始ボタンＢＴ１がクリックした場合に、ＭＦＰ１により子機３１と外部装置との間で行われている通話が録音開始されるが、ＰＣ５１の入力装置５７上の所定のキーに同様の機能を割り付けておき、ユーザがＰＣ５１の入力装置５７の所定のキーを押下した場合に、ＭＦＰ１により通話が録音開始されるように構成しても良い。
【０１１４】
また、上記実施例では、ＭＦＰ１により子機３１と外部装置との間で行われている通話を録音しているが、ＭＦＰ１により、ＰＣ５１からＭＦＰ１を介して外部装置との間で行われる通話を録音しても良い。即ち、ユーザが、ＰＣ５１のＵＳＢインターフェイス５９にハンドセットやヘッドセットを接続して、ＰＣ５１と外部装置との間で通話を行う場合に、その通話を録音する。その場合、ＰＣ５１は、ＬＡＮ２００を介してＭＰＦ１とデータ通信を行い、ＭＦＰ１を介して電話回線網１００と接続される外部装置と接続される。
【０１１５】
また、上記実施形態では、ＭＦＰ１により録音される通話の音声データは、一旦、音声データメモリ１３ａに音声ファイルとして記憶され、通話が終了してからユーザにより指定された保存先へ移動、または、送信されるが、録音中に直接保存先へ保存、または、送信しても良い。
【０１１６】
また、上記実施形態では、ＭＦＰ１の音声処理部１９により、音声処理部１９に入力される音声信号がＰＣＭ形式の音声データに変換され、音声ファイルとして音声データメモリ１３ａに記憶されるが、ユーザ所望するデータ形式で、音声データメモリ１３ａに記憶しても良い。
【０１１７】
また、上記実施形態では、通話を録音可能な時間を超過し、音声データメモリ１３ａに通話の音声データを記憶できない場合に、録音を終了しているが、通話の音声データを記憶できない場合に、その旨をＭＦＰ１からＰＣ５１に通知し、録音アプリケーションプログラムがユーザに報知するように構成しても良い。
【０１１８】
また、上記実施形態では、ＰＣ５１の録音アプリケーションプログラムが、子機３１と外部装置との通話の開始を検出しているが、通話中であるか否かを定期的に検出しても良い。
【０１１９】
また、上記実施形態では、録音アプリケーションプログラムの録音操作画面において、音声ファイルの保存先をＰＣ５１と指定した場合は、ＰＣ５１の音声データメモリ５５ｃに設けられているフォルダに音声ファイルが記憶されるが、ＬＡＮ２００に接続される他のＰＣや、記憶装置に設けられているフォルダを保存先として指定できるように構成しても良い。即ち、ＭＦＰ１やＰＣ５１のファイルシステムが、記憶領域として認識する装置や、ネットワークドライブや、ＰＣを音声ファイルの保存先として指定できるように構成することも可能である。
【図面の簡単な説明】
【０１２０】
【図１】本発明の実施形態におけるＭＦＰと子機とＰＣとの電気的構成を示すブロック図である。
【図２】録音アプリケーションプログラムの録音操作画面の一例を示すイメージ図である。
【図３】ＭＦＰ１のメイン処理を示すフローチャートである。
【図４】ＰＣの録音アプリケーションプログラムの録音操作処理を示すフローチャートである。
【図５】ＭＦＰのＦＴＰサーバプログラムの音声データ共有処理を示すフローチャートである。
【図６】ＰＣのブラウザの音声データ取得処理を示すフローチャートである。
【符号の説明】
【０１２１】
１              ＭＦＰ
１２ａ          ＦＴＰサーバプログラムメモリ
１２ｃ          録音可能時間メモリ
１３ａ，５５ｃ  音声データメモリ
１３ｂ，５４ａ  データ保存先メモリ
１３ｃ          録音時間メモリ
１７，５６      ＬＡＮインターフェイス
１９            音声処理部
２２            メモリカードスロット
２２ａ          メモリカード
３１            子機
５１            ＰＣ
５５ａ          録音アプリケーションプログラムメモリ
５５ｂ          ブラウザメモリ
５７            入力装置
５８            表示装置
１００          電話回線網
２００          ＬＡＮ
【図１】
2009033368.tif 000003
【図２】
2009033368.tif 000004
【図３】
2009033368.tif 000005
【図４】
2009033368.tif 000006
【図５】
2009033368.tif 000007
【図６】
2009033368.tif 000008